(57)【要約】【課題】デジタルカメラを用いて撮影するときに、特定の場所においては特定条件を備えている使用者のみが撮影できるようにする。【解決手段】位置検出手段１０が、デジタルカメラ１自体の位置を検出する。その後、判断手段２０が、検出したデジタルカメラ１の位置が特定条件を備えた使用者に限り撮影が許可される特定範囲内にあるか否かを判断する。そして、デジタルカメラ１の位置が特定範囲内にあると判断された場合、確認手段４０が特定条件を備える使用者であるか否かの確認を行う。そして、確認されたときにのみ、制御手段３０が特定範囲内において撮影することができるように制御する。【選択図】　図２
2004056627.tif 000002
【特許請求の範囲】
【請求項１】
デジタルカメラにおいて、
被写体を撮影して画像を取得する画像取得手段と、
前記デジタルカメラ自体の位置を検出する位置検出手段と、
検出された前記デジタルカメラ自体の位置が、特定条件を備えた使用者に限り撮影が許可される特定範囲内にあるか否かを判断する判断手段と、
該判断手段において前記デジタルカメラが前記特定範囲内にあると判断されたとき、前記デジタルカメラの使用者が特定条件を備えていることを確認する確認手段と、
該確認手段において確認がなされたときにのみ前記特定範囲内において撮影できるように前記画像取得手段を制御する制御手段と
を有することを特徴とするデジタルカメラ。
【請求項２】
前記判断手段が、前記特定範囲を示す範囲情報を記憶した位置テーブルを有し、該位置テーブルを用いて前記デジタルカメラが前記特定範囲内にあるか否かを判断するものであることを特徴とする請求項１に記載のデジタルカメラ。
【請求項３】
前記位置テーブルが、前記特定範囲とともに撮影が禁止された撮影禁止範囲を示す範囲情報を有し、
前記判断手段が、前記位置テーブルを用いて前記デジタルカメラの位置が前記特定範囲もしくは前記撮影禁止範囲にあるか否かを判断する機能を備え、
前記制御手段が、前記判断手段において前記デジタルカメラの位置が前記撮影禁止範囲内にあると判断されたとき、撮影できないように前記画像取得手段を制御するものであることを特徴とする請求項２に記載のデジタルカメラ。
【請求項４】
前記判断手段が、前記位置テーブルに登録する範囲情報を記憶した前記デジタルカメラに着脱可能な記憶媒体と接続して、該記憶媒体から前記範囲情報を読み取り前記位置テーブルの内容を更新する機能を有するものであることを特徴とする請求項２または請求項３に記載のデジタルカメラ。
【発明の詳細な説明】
【０００１】
【発明の属する技術分野】
本発明は、撮影が制限される範囲が存在する場所で用いられるデジタルカメラに関するものである。
【０００２】
【従来の技術】
たとえば美術館、工場、軍事施設等において、作品の著作権を保護しもしくは気密の保護のために、見学者による撮影を禁止したい場合がある。美術館や博物館においては、作品の著作権を守りたい場合やその一部の作品については撮影を禁止したい場合がある。また、工場や軍事施設においては、企業秘密や軍事機密を保護するために撮影を禁止したい場合がある。さらに、動物園や水族館においては、フラッシュ撮影などに敏感な一部の生き物の撮影を禁止したい場合がある。
【０００３】
このため、美術館や工場等においては、「撮影禁止」等の貼り紙を貼ることにより見学者に注意を促し、もしくは係員に見学者を監視させることにより撮影を制限する方法がとられている。
【０００４】
【発明が解決しようとする課題】
しかし、貼り紙により注意を促しても規則が守られないことがもあり、係員に監視させた場合であっても多数の見学者がいる場合や会場や敷地等が広い場合には監視が十分でなく、撮影を完全に制限するのは難しいという問題がある。
【０００５】
一方、美術館、動物園、工場等においてカメラによる撮影を一切禁止したのでは見学者の要求を満たすことはできない。また、美術館等の敷地内には撮影してもよい美術品や施設等があり、これらについて見学者に撮影を許可することは、美術館等にとっても好ましいことである。
【０００６】
予め定められた場所において撮影する方法が、たとえば特開平８−２９７７３６号公報に開示されている。特開平８−２９７７３６号公報に開示された方法は、走行中の車両内において撮影を行う場合、予め撮影対象物が判明しているときには搭乗者が操作しなくても自動的に撮影を行うことができる車両用撮影システムに係るものである。
【０００７】
この車両用撮影システムにおいては、使用者が予め撮影対象物をナビゲーションシステムに登録しておく。そして、車両の位置情報がナビゲーションシステムによって検出されて、車両位置から登録された撮影対象物までの距離および方位が算出され、算出された距離および方位がカメラにより撮影できる予め定められた距離もしくは方位に達したときに撮影が行われる。
【０００８】
しかし、上述した車両用撮影システムにおいては予め撮影場所を定めておく必要があり、美術館や工場等の撮影のように見学者が見学しながら、任意に撮影したい場所で撮影するという用途には不向きである。
【０００９】
そこで、本発明は、撮影が許可された者のみが特定範囲内において撮影ができるように自動的に制御するデジタルカメラを提供することを目的とするものである。
【００１０】
【課題を解決するための手段】
本発明のデジタルカメラは、被写体を撮影して画像を取得する画像取得手段と、カメラ自体の位置を検出する位置検出手段と、検出されたカメラ自体の位置が、特定条件を備えた使用者に限り撮影が許可される特定範囲内にあるか否かを判断する判断手段と、判断手段においてカメラが特定範囲内にあると判断されたとき、カメラの使用者が特定条件を備えていることを確認する確認手段と、確認手段において確認がなされたときにのみ特定範囲内において撮影できるように画像取得手段を制御する制御手段とを有することを特徴とするものである。
【００１１】
ここで、「画像取得手段」が取得する画像は、静止画であっても動画であってもよい。
【００１２】
「判断手段」には、特定範囲を示す範囲情報を記憶した位置テーブルを有し、位置テーブルを用いてデジタルカメラが特定範囲内にあるか否かを判断するものも含まれる。
【００１３】
「特定条件」とは、たとえば関係者に与えられた特別な登録を有するか、あるいは利用者が特別料金を支払う等により、特定範囲内での撮影を許可された使用者が備えている条件であって、「判断手段」はたとえばＩＤやパスワードを用いてその特定条件を備えているかを確認する。
【００１４】
なお、「判断手段」は、位置テーブルに登録する範囲情報を記憶したデジタルカメラに着脱可能な記憶媒体と接続して、記憶媒体から範囲情報を読み取り位置テーブルの内容を更新する機能を有するものであってもよい。
【００１５】
また、「位置テーブル」が、特定範囲とともに撮影が禁止された撮影禁止範囲を示す範囲情報を有し、「判断手段」が、位置テーブルを用いてデジタルカメラの位置が特定範囲もしくは撮影禁止範囲にあるか否かを判断する機能を備え、「制御手段」が、判断手段においてデジタルカメラの位置が撮影禁止範囲内にあると判断されたとき、撮影できないように画像取得手段を制御するものであってもよい。
【００１６】
【発明の効果】
本発明のデジタルカメラによれば、カメラ自体の位置を検出してカメラ自体の位置が特定範囲内にある場合には、特定条件を満たした使用者のみに対して撮影を自動的に許可にすることにより、特定範囲において撮影が行われているか否かを監視員が監視しなくとも、デジタルカメラを用いた撮影を自動的に制限することができるため、効率よく撮影の規制を行うことができる。
【００１７】
なお、判断手段が位置テーブルに登録する範囲情報を記憶したデジタルカメラに着脱可能な記憶媒体と接続して、記憶媒体から範囲情報を読み取り位置テーブルの内容を更新することにより、特定範囲が変わったときに記憶媒体の範囲情報に基づいて位置テーブルの内容を更新することができるため、容易に位置テーブル範囲情報を変更することができる。
【００１８】
また、位置テーブルに記憶される範囲情報として特定範囲のみならず撮影禁止範囲を設定して、撮影禁止範囲については撮影が一切できないようにすることにより、撮影禁止範囲内での一切の撮影を禁止して秘密の保持や著作権の管理等を確実に行うことができる。
【００１９】
【発明の実施の形態】
図１と図２は本発明のデジタルカメラの好ましい実施の形態を示すブロック図を示しており、図１と図２を参照してデジタルカメラ１の構成について説明する。
【００２０】
デジタルカメラ１は、画像取得手段２、位置検出手段１０、判断手段２０、制御手段３０、確認手段４０等を有する。画像取得手段２は被写体を撮影して記録するものであって制御手段３０により制御されている。具体的には、図２に示すように、画像取得手段２は被写体を撮像する撮像部３と、撮像した画像を処理してフレームメモリ５および圧縮伸長手段６を介してスマートメディア（登録商標）等の記憶媒体５０に記憶する信号処理部４とを有する。そして、画像取得手段２により撮影された画像は、記憶媒体５０に記憶される。
【００２１】
デジタルカメラ１は、表示部８と操作部９を有しており、デジタルカメラ１の使用者は表示部８により、撮像した画像を閲覧する。また、使用者はキャラクタジェネレータ５ａにより表示部８に表示されるメニュー等を見ながら操作部９を操作することにより、撮影した画像を閲覧や編集等を行うことができる。
【００２２】
位置検出手段１０はデジタルカメラ１自体の位置を検出するものであって、たとえばいわゆるＧＰＳ（Ｇｌｏｂａｌ　Ｐｏｓｉｔｉｏｉｎｇ　Ｓｙｓｔｅｍ）機能を有する。具体的には、図２に示すように、位置検出手段１０はＧＰＳアンテナ１１、ＧＰＳ受信回路１２、ＧＰＳ情報取得回路１３等を備える。そして、ＧＰＳアンテナ１１およびＧＰＳ受信回路１２がＧＰＳ情報の搬送波を受信して情報取得回路１３に送る。そして、情報取得回路１３が搬送波からデジタルカメラ１の位置情報を検出してシステムメモリ３４に記憶される。
【００２３】
判断手段２０は、位置検出手段１０により検出されたデジタルカメラ１の位置が、特定条件を備えた使用者に限り撮影が許可される特定範囲内にあるか否かを判断するものである。判断手段２０は特定範囲を示す範囲情報を記録した位置テーブル２１を有しており、位置テーブル２１と位置検出手段１０から出力された位置情報とを比較する。そして、デジタルカメラ１が特定範囲内にあるか否かの判断結果を制御手段３０に送るようになっている。
【００２４】
さらに、位置テーブル２１は、特定範囲を示す範囲情報のほかに、無制限に撮影をすることができる撮影許可範囲を示す範囲情報および撮影を一切禁止する撮影禁止範囲を示す範囲情報を有する。そして、判断手段２０は、検出されたデジタルカメラ１の位置が、位置テーブル２１を用いて撮影可能範囲、撮影禁止範囲もしくは特定範囲のいずれかにあるかを判断する。その後、判断手段２０はデジタルカメラ１の位置が撮影禁止範囲、特定範囲もしくは撮影可能範囲のいずれに属するかという判断結果を制御手段３０に出力する。
【００２５】
制御手段３０は、デジタルカメラ１の動作を制御するものであって、判断手段２０の判断結果に基づいて画像取得手段２を制御する機能を有する。具体的には、デジタルカメラ１が撮影可能範囲にあると判断されたとき、画像取得手段２の機能を制限することなく撮影可能な状態にする。一方、制御手段３０は、デジタルカメラ１の位置が撮影禁止範囲にあると判断されたとき、画像取得手段２の撮影機能を制限した後、デジタルカメラ１自体の電源をＯＦＦにする。
【００２６】
制御手段３０は、デジタルカメラ１の位置が特定範囲にあると判断されたとき、確認手段４０に対して認証を行うように要求し、確認がなされるまで画像取得手段２による撮影ができないように制御する。そして、制御手段３０は、確認手段４０により使用者が特定条件を備えていると確認できた場合のみ、画像取得手段２の制限を解除して撮影可能な状態にする。
【００２７】
確認手段４０は、判断手段２０においてデジタルカメラ１の位置が特定範囲内にあると判断された場合、デジタルカメラ１の使用者が特定条件を備えた使用者であるかの確認を行うものである。具体的には、確認手段４０は、特定条件を備えているか否かをＩＤとパスワードを用いて確認を行うものである。すなわち、確認手段４０は、操作部９を介して入力されたＩＤとパスワードを予めデータベース４１に登録されているＩＤおよびパスワードと一致しているかを判断することにより、使用者が特定条件を備えているかを確認する。
【００２８】
次に、図３は本発明のデジタルカメラの使用施設である美術館を示す平面図、図４と図５は本発明のデジタルカメラ１の動作例を示すフローチャート図であり、図１から図５を参照してデジタルカメラ１の動作例について説明する。
【００２９】
まず、図３に示すように、美術館において美術展の主催者等により、第２絵画展示室が特定範囲に設定され、第３絵画展示室が撮影禁止範囲に設定されるものとする。なお、第２絵画展示室および第３絵画展示室以外の場所は、見学者が自由に撮影できる撮影許可範囲に設定されるものとする。
【００３０】
このとき、図４に示すフローチャート図に示す手順により、撮影禁止範囲、撮影許可範囲および特定範囲がデジタルカメラ１に設定される。まず、図３に示す撮影禁止範囲、撮影許可範囲および特定範囲が、位置検出手段１０により検出される位置情報と対比可能な範囲情報として生成される（ステップＳＴ１）。その後、撮影禁止範囲、撮影許可範囲および特定範囲を示す範囲情報がパーソナルコンピュータ等を用いて記憶媒体５０に記憶される（ステップＳＴ２）。
【００３１】
そして、範囲情報を記憶した記憶媒体５０がデジタルカメラ１に装着される（ステップＳＴ３）。すると、判断手段２０により位置テーブル２１に記憶された範囲情報がリフレッシュされて、記憶媒体５０に記憶された範囲情報が位置テーブル２１に新規登録される（ステップＳＴ４）。これにより、撮影可能範囲と撮影禁止範囲と特定範囲とが位置テーブル２１に設定された状態になり、撮影準備が完了する（ステップＳＴ５）。
【００３２】
このように、記憶媒体を用いて位置テーブル２１の内容を更新することができることにより、たとえば美術館において展示内容が変わった場合であっても、それに対応して撮影禁止範囲および特定範囲を容易に変更することができるようになる。
【００３３】
次に、図５を用いて上述したデジタルカメラ１を使用者が使用した場合について説明する。まず、上述したように、デジタルカメラ１の位置テーブル２１に特定範囲等が設定されて（ステップＳＴ１０）、この美術館内において撮影を希望する見学者に美術館からデジタルカメラ１が貸し出される。そして、使用者がデジタルカメラ１の電源を入ると、位置検出手段１０の作動によりデジタルカメラ１の位置が検出される（ステップＳＴ１１）。
【００３４】
その後、判断手段２０において検出したデジタルカメラ１の位置と位置テーブル２１に記憶された範囲情報とが比較されて（ステップＳＴ１２）、デジタルカメラ１が撮影禁止範囲、撮影可能範囲もしくは特定範囲のいずれかの範囲内にあるかが判断される（ステップＳＴ１３）。
【００３５】
具体的には、使用者が図３の第１絵画展示室に入った場合（図３参照）、位置検出手段１０により検出されるデジタルカメラ１の位置が撮影可能範囲内の位置を示すことになる。すると、判断手段２０によりデジタルカメラ１の位置が撮影可能範囲にあると判断されて（ステップＳＴ２０）、制御手段３０によりデジタルカメラ１が撮影可能モードに入り（ステップＳＴ２１）、使用者はデジタルカメラ１を用いて美術品を撮影することができる（ステップＳＴ２２）。使用者が撮影した被写体の画像は記憶媒体５０に記憶されていく（ステップＳＴ２３）。
【００３６】
使用者が第３絵画展示室に入った場合（図３参照）、位置検出手段１０により検出されるデジタルカメラ１の位置が撮影禁止範囲内の位置を示すことになる。すると、判断手段２０によりデジタルカメラ１の位置が撮影禁止範囲にあると判断されて（ステップＳＴ３０）、制御手段３０によりデジタルカメラ１が撮影禁止モードになる（ステップＳＴ３１）。すると、制御手段３０により画像取得手段２の機能が制限されて（ステップＳＴ３２）、デジタルカメラ１の電源がＯＦＦされる（ステップＳＴ３３）。これにより、使用者は第３絵画展示室での撮影できなくなる。
【００３７】
使用者が第２絵画展示室に入った場合（図３参照）、位置検出手段１０により検出されるデジタルカメラ１の位置が特定範囲内の位置を示すことになる。すると、判断手段２０により、デジタルカメラが特定範囲にあると判断されて（ステップＳＴ４０）、制御手段３０において画像取得手段２の機能を制限することにより、撮影が禁止される。同時に、制御手段３０からの命令により確認手段４０が作動して、使用者に対してＩＤおよびパスワードが要求される（ステップＳＴ４１）。使用者は操作部９を用いてＩＤおよびパスワードをすると、確認手段４０において、入力されたＩＤおよびパスワードが正しいか否かが判断される（ステップＳＴ４２）。
【００３８】
その結果、確認手段４０において特定条件を備えた使用者であることが確認できた場合、制御手段３０により画像取得手段２の機能制限が解除されて撮影可能モードに入る（ステップＳＴ２１〜ステップＳＴ２３）。一方、確認手段４０において確認できなかった場合、画像取得手段２に制限がかかった状態のままになり、撮影ができない状態となる（ステップＳＴ４１、ステップＳＴ４２）。
【００３９】
上記実施の形態によれば、デジタルカメラ１の位置を検出してデジタルカメラ１の位置が特定範囲内にある場合には、特定条件を満たした使用者のみに対して撮影を許可にすることにより、特定範囲において撮影が行われているか否かを監視しなくとも、デジタルカメラ１を用いた撮影を自動的に制限することができるため、効率よく撮影の規制を行うことができる。
【００４０】
具体的には、著作権や動物保護、秘密管理などが必要な施設を訪問者が見学・視察する際にどうしても写真撮影をしたいという希望を申し出る場合がある。それに対して施設側では、一部で撮影禁止の張り紙を掲示したり、カメラの持ち込みを禁止したりする等の対策を打っている。しかし、訪問者の中に規則を守らない人が存在したり、カメラの持ち込み禁止に対して反発することがある。そこで、図１に示すデジタルカメラを用いることにより、上述した施設において撮影対象物への規制を行うことができ、訪問者側・施設側ともに要求を満足することができる。
【００４１】
さらに、たとえば美術館においてパンフレットのように、予め美術品を撮影したものを見学者に提供するのではなく、一定の料金を支払った見学者にＩＤおよびパスワードを付与して、特定範囲の美術品の撮影を可能にすることにより、撮影した画像を販売するというサービスを提供することができる。すると、見学者はたとえば美術品と自分とを一緒に撮影した画像を得る等のサービスを受けることができる。
【００４２】
また、判断手段２０により新しい特定範囲を記憶した着脱可能な記憶媒体と接続して、記憶媒体５０から新しい特定範囲を読み取り、位置テーブルの内容を更新することにより、たとえば美術館において展示内容が変わった場合であっても、それに対応して撮影禁止範囲、撮影可能範囲、特定範囲の内容を容易に変更することができる。
【００４３】
本発明の実施の形態は、上記実施の形態に限定されない。たとえば、図２と図３において、位置検出手段１０は、いわゆるＧＰＳを用いてデジタルカメラ１の位置を検出する場合について言及しているが、デジタルカメラ１の位置が特定範囲にあるかが認識できるものであればよい。たとえば、特定範囲内において、撮影可能範囲、撮影禁止範囲、特定範囲の範囲内にそれぞれ異なる識別信号が出力されており、位置検出手段１０が位置信号を検出する。そして、判断手段２０が、位置検出手段１０において検出された識別信号が撮影可能範囲、撮影禁止範囲、特定範囲のいずれの範囲を示すものであるかを判断する。これにより、ＧＰＳを室内での位置検出に用いた場合に屋根や壁等による電波妨害等により、位置検出の制度の低下を抑えることができる。
【００４４】
また、位置検出手段１０としてＧＰＳを用いた場合、ＧＰＳ精度が十分とれないときには各施設棟ごとに撮影可能範囲、撮影禁止範囲および特定範囲を設定するようにしてもよい。なお、図６に示すように、１つの施設に複数の特定範囲が設定されている場合、各特定範囲毎に異なるパスワードを設定するようにしてもよい。これにより、たとえば各特定範囲毎に異なる美術品が展示されている場合に、各美術品毎に著作権保護等を行うことができるようになる。
【００４５】
さらに、図２の確認手段４０において、使用者が操作部９を操作することによりＩＤとパスワードを入力するようにしているが、ＩＣチップ等を用いたいわゆる電子認証により、特定条件を備えていることの認証を行うようにしてもよい。
【図面の簡単な説明】
【図１】本発明のデジタルカメラの好ましい実施の形態を示す機能ブロック図
【図２】本発明のデジタルカメラの好ましい実施の形態を示すブロック図
【図３】本発明のデジタルカメラが使用される施設の一例を示す平面図
【図４】本発明のデジタルカメラにおける位置テーブルの作成もしくは更新の一例を示すフローチャート図
【図５】本発明のデジタルカメラの動作例を示すフローチャート図
【図６】本発明のデジタルカメラが使用される施設の別の一例を示す平面図
【符号の説明】
１　　　デジタルカメラ
２　　　画像取得手段
１０　　位置検出手段
２０　　判断手段
２１　　位置テーブル
３０　　制御手段
４０　　確認手段
４１　　データベース
５０　　記憶媒体
【図１】
2004056627.tif 000003
【図２】
2004056627.tif 000004
【図３】
2004056627.tif 000005
【図４】
2004056627.tif 000006
【図５】
2004056627.tif 000007
【図６】
2004056627.tif 000008